(57)【要約】      （修正有）【課題】ユーザー端末の現在位置で利用可能な広告をユーザー端末へ表示する広告ウェブサイトを利用したオンライン広告方法を提供する。【解決手段】オンライン広告方法は、事業者サーバーが、広告ウェブサイトにユーザー端末が接続されたことを感知すると、ユーザー端末が接続した地域及び前記接続した地域を含む少なくとも一つの上位地域のうち少なくとも一つを選択するための地域選択メニュー及び広告を含む広告映像をユーザー端末に表示し、地域選択メニューを介して特定の地域が選択されると、広告ウェブサイトに登録された広告のうち、前記特定の地域に関連した広告を検索し、検索された広告をユーザー端末に表示する。【選択図】図２
2020038694.tif 000002
【特許請求の範囲】
【請求項１】
一つ以上の対象地域を選択するための地域選択メニュー及びユーザー端末が他のユーザーの広告を選択するときに、前記ユーザー端末へポイントを支給する前記広告を含む掲示板を前記ユーザー端末に提供する段階と、
前記ユーザー端末から前記地域選択メニューを介して特定の前記地域が選択されることを知らせる信号が受信されると、登録された前記広告のうち、選択された特定の前記地域に関連した前記広告を検索する段階と、
検索された前記広告のうち一部を前記ユーザー端末に提供する段階と
を含み、
前記ユーザー端末は、支給された前記ポイントを活用して前記掲示板に無料広告を掲載可能であることを特徴とする、オンライン広告方法。
【請求項２】
前記ユーザー端末は、支給された前記ポイントに加え、現金で購買した前記ポイントを活用する、または、他のユーザーからもらった前記ポイントを活用して前記掲示板に前記無料広告を掲載可能であることを特徴とする、請求項１に記載のオンライン広告方法。
【請求項３】
前記ユーザー端末は、支給された前記ポイントに加え、前記掲示板と他の掲示板を介して他のユーザーが前記ポイントまたは前記ポイントを含む金額で購買した商品の販売の対価として得た前記ポイントを活用して前記掲示板に前記無料広告を掲載可能であることを特徴とする、請求項１に記載のオンライン広告方法。
【発明の詳細な説明】
【技術分野】
【０００１】
本発明は、オンライン広告方法に係り、より詳細には、広告ウェブサイトを利用したオンライン広告方法に関する。
【背景技術】
【０００２】
一般に、広告（Ａｄｖｅｒｔｉｓｅｍｅｎｔ）は、潜在的消費者へ製品やサービスに関する情報及び購入方法を知らせるための目的を持つ片方向通信であって、直接的に売上を上げる、すなわち商業的目的を持つ。
【０００３】
また、広報（Ｐｕｂｌｉｃ  Ｒｅｌａｔｉｏｎ）は、官庁、企業、団体または個人が一般大衆の信用と理解を得、それらの注意を引くために、事業の趣旨を広く知らせる宣伝であって、イメージを構築し、認知度及び好感度を高める、すなわち非商業的目的を持つ。
【０００４】
今日では、様々な媒体とグローバル社会の中で数多くの競争者と情報が生まれており、その中で自分自身や自分の意志を知らせるための行為は日増しに激しくなっているので、広告よりも相対的に費用が低い広報であっても、多くの費用が発生する広告をしてこそ人々に広報効果を示すのが現実である。
【０００５】
しかし、このような広告は多くの問題点を持つが、広告主の立場では、広告効果の高いオンラインまたはオフライン媒体であるほど広告費が高いことや、広告に対する効果がどれほど発生するのかが分かり難く、広告契約の終了後には消費者から広告に対する認識が消える問題点がある。
【０００６】
また、広告を視聴する消費者の立場では、自分に不要な広告や興味のない広告は面倒であり、誇大広告ではないかという広告に対する不信を持つ問題点がある。
【０００７】
さらに、企業及び個人が多くの費用をかけたと共に研究を行ったその広告が、一時的な広報手段以外は他の価値的な情報として活用される事項がないという問題点がある。
【発明の概要】
【発明が解決しようとする課題】
【０００８】
本発明は、各地域別広告を提供する広告ウェブサイトにユーザー端末が接続したとき、現在のユーザー端末の接続位置に該当する地域の広告をユーザー端末へ提供する、広告ウェブサイトを利用したオンライン広告方法を提供することを目的とする。
【０００９】
本発明で解決しようとする技術的課題は上述した技術的課題に限定されず、上述していない別の技術的課題は以降の記載から本発明の属する技術分野における通常の知識を有する者に明確に理解できるであろう。
【課題を解決するための手段】
【００１０】
上記の目的を達成するための本発明の参考例としての広告ウェブサイトを利用したオンライン広告方法は、各地域の広告が掲載される広告ウェブサイトにユーザー端末を用いて接続する段階と、前記ユーザー端末が接続した地域及び前記接続した地域を含む少なくとも一つの上位地域のうちの少なくとも一つを選択するための地域選択メニュー及び前記広告を含む広告映像が前記ユーザー端末に表示されるように、前記広告映像を前記ユーザー端末に提供する段階と、前記ユーザー端末から前記地域選択メニューを介して特定の地域が選択されることを知らせる信号が受信されると、前記広告ウェブサイトに登録された広告のうち、前記選択された特定の地域に関連した広告を検索する段階と、前記検索された広告が該当広告別に指定された時間の間、前記ユーザー端末の画面に表示されるように、前記検索された広告を前記指定された時間の間前記ユーザー端末に提供する段階とを含んでなる。
上記の目的を達成するための本発明に係る広告ウェブサイトを利用したオンライン広告方法は、一つ以上の対象地域を選択するための地域選択メニュー及びユーザー端末が他のユーザーの広告を選択するときに、前記ユーザー端末へポイントを支給する前記広告を含む掲示板を前記ユーザー端末に提供する段階と、前記ユーザー端末から前記地域選択メニューを介して特定の前記地域が選択されることを知らせる信号が受信されると、登録された前記広告のうち、選択された特定の前記地域に関連した前記広告を検索する段階と、検索された前記広告のうち一部を前記ユーザー端末に提供する段階とを含み、前記ユーザー端末は、支給された前記ポイントを活用して前記掲示板に無料広告を掲載可能である。
【発明の効果】
【００１１】
本発明に係る広告ウェブサイトを利用したオンライン広告方法は、広告ウェブサイトに接続したユーザー端末の現在位置で利用可能な広告をユーザー端末へ提供することにより、前記ウェブサイトのユーザーに現在位置で実質的に利用可能な広告を提供するという効果がある。
【図面の簡単な説明】
【００１２】
【図１】本発明の一実施形態に係る広告ウェブサイトを利用したオンライン広告の概略構成図である。
【図２】本発明の一実施形態に係る広告ウェブサイトを利用したオンライン広告方法を示すフローチャートである。
【図３】本発明の一実施形態に係る広告ウェブサイトを利用したオンライン広告過程を示す説明図である。
【図４】本発明の一実施形態に係る広告ウェブサイトを利用したオンライン広告過程を示す説明図である。
【図５】本発明の一実施形態に係る広告ウェブサイトを利用したオンライン広告過程を示す説明図である。
【図６】本発明の一実施形態に係る広告ウェブサイトを利用したオンライン広告過程を示す説明図である。
【図７】本発明の一実施形態に係る広告ウェブサイトを利用したオンライン広告過程を示す説明図である。
【図８】本発明の一実施形態に係る広告ウェブサイトを利用したオンライン広告過程を示す説明図である。
【図９】本発明の一実施形態に係る広告ウェブサイトを利用したオンライン広告過程を示す説明図である。
【発明を実施するための形態】
【００１３】
上述した目的、特徴及び利点は、添付図面を参照して詳細に後述されている詳細な説明からさらに明確になるだろう。これにより、本発明の属する技術分野における通常の知識を有する者が本発明の技術的思想を容易に実施することができるだろう。また、本発明を説明するにあたり、本発明に関連する公知の技術についての具体的な説明が本発明の要旨を不要に曖昧にするおそれがあると判断された場合、その詳細な説明を省略する。
【００１４】
図１は、本発明の一実施形態に係る広告ウェブサイトを利用したオンライン広告の概略構成図であって、多数の各地域の広告が掲載される広告ウェブサイト２００と、広告ウェブサイト２００に接続可能なユーザー端末２０と、ユーザー端末２０を介して広告ウェブサイト２００に接続して広告を掲載する各地域の広告提供者３０と、ユーザー端末２０を介して広告ウェブサイト２００に接続して、各地域で掲載された広告を視聴及び利用する広告視聴者４０と、広告ウェブサイト２００を管理／運営する事業者サーバー１００とを含んで構成される。
【００１５】
このとき、本発明における広告は、特定の製品、特定の官公庁、特定の人物及びコンテンツのうちの少なくとも一つについての説明、購入情報、広報などを行う行為を意味し、特定のテーマについてのアンケート調査も前記広告に含まれ得る。すなわち、本発明における広告は、広告提供者３０が商業的であることを知らせるだけでなく、ニュースやＳＮＳメッセンジャーなどで他人に広告提供者３０を知らせるすべての行為も広告に含まれ得る。
【００１６】
また、ユーザー端末２０には、コンピュータ、ノートパソコン、有無線電話、携帯端末、スマートフォンなど、広告ウェブサイト２００に接続可能であるか、或いは広告ウェブサイト２００を提供するアプリケーションのインストール及び利用が可能な全ての電子機器が全て含まれ得る。
【００１７】
また、広告ウェブサイト２００は、事業者サーバー１００を介して無線インターネットまたはモバイルインターネット規格でユーザー端末２０にサービスされるか、或いは事業者サーバー１００が生成及び管理するアプリケーションの形態でユーザー端末２０にインストールされて利用できる。
【００１８】
以下、図２乃至図９を参照して本発明について詳細に説明する。
図２を参照すると、事業者サーバー１００は、広告ウェブサイト２００にユーザー端末２０が接続されたことが感知されると［Ｓ１１０］、ユーザー端末２０が接続した地域及び前記接続した地域を含む少なくとも一つの上位地域のうち少なくとも一つを選択するための地域選択メニュー３００及び前記広告を含む広告映像がユーザー端末２０に表示されるように、前記広告映像をユーザー端末２０へ提供する［Ｓ１２０］。
【００１９】
すなわち、ユーザー端末２０へ提供される前記広告映像は、図３乃至図９のように、実質的にユーザー端末２０の画面上に表示される広告ウェブサイト２００の構成であって、事業者サーバー１００は、ユーザー端末２０が広告ウェブサイト２００に接続した地域を把握し、前記把握された地域を含む２つ以上の地域を選択することができる地域選択メニュー３００と、前記広告が表示される広告表示領域４００と、広告ウェブサイト２００内で様々な用途の掲示板が含まれている掲示板領域５００とを含む広告ウェブサイト２００を生成し、前記生成された広告ウェブサイト２００を、前記接続されたユーザー端末２０が表示するようにユーザー端末２０へ伝送するのである。
【００２０】
また、事業者サーバー１００は、前記広告ウェブサイト２００に接続されたユーザー端末２０から、前記地域選択メニュー３００を介して特定の地域が選択されることを知らせる信号を受信すると［Ｓ１３０］、現在の広告ウェブサイト２００に登録された広告のうち、前記信号による特定の地域に関連した広告を検索する［Ｓ１４０］。
【００２１】
このとき、前記特定の地域に関連した広告は、広告ウェブサイト２００に登録された広告のうち前記特定の地域と同一の地域に位置した広告提供者３０によって広告ウェブサイト２００に掲載された広告、前記特定の地域で広報しようとする広告、及び前記特定の地域で販売しようとする製品を広報する広告のうちの少なくとも一つを含むことができる。
【００２２】
事業者サーバー１００は、前記検索された広告が、該当広告別に指定された時間の間（例えば、特定の時間帯）ユーザー端末２０の画面に表示されるように、前記検索された広告を前記指定された時間の間ユーザー端末へ提供する［Ｓ１５０］。
【００２３】
すなわち、広告ウェブサイト２００のすべての会員は、広告を掲載する広告提供者３０と、広告を視聴する広告視聴者４０とを含み、広告を掲載したり広告を視聴したりする会員は、広告提供者３０であると同時に広告視聴者４０になれる。
【００２４】
このとき、広告提供者３０は、広告ウェブサイト２００に該当広告を掲載するときに、該当広告別に指定された時間の間（例えば、特定の時間帯）広告視聴者４０が見ることができるように設定することができる。
【００２５】
以下、図３乃至図９を参照して本発明をさらに詳細に説明する。
図３乃至図９は本発明に係る地域選択メニュー３００、広告表示領域４００及び掲示板領域５００を含む広告ウェブサイト２００を示している。
【００２６】
一例として、図３に示すように、韓国に位置したユーザー端末２０が最初の広告ウェブサイト２００に接続すると、ユーザー端末２０の画面に表示された広告ウェブサイト２００内で、地域選択メニュー３００には前記韓国地域を示す地域項目、韓国の上位地域項目（アジア）及び韓国内の多数の下位地域項目が含まれる。
【００２７】
また、広告表示領域４００内には、韓国地域に掲載された広告のうち、広告ウェブサイト２００の加入者に対して視聴回数及び呼応度のうちの少なくとも一つが基準値以上である広告が優先的に表示される。ここで、呼応度は、広告に表示される「良い」、「共感」などのボタンを介して得られる加入者の反応を示すもので、前記ボタンを押した累積回数に基づいて判断される。
【００２８】
一方、広告表示領域４００に加入者が興味を持つべき広告を優先的に表示するために、ハッシュタグを利用することもできる。ハッシュタグ（ｈａｓｈｔａｇ）とは、掲示物の分類及び検索を容易にするために作成した一種のメタデータを意味する。
【００２９】
本発明の一実施形態に係るオンライン広告方法は、広告主が広告を掲載するとき、その広告の内容を代表するキーワードをハッシュタグで入力するようにすることができる。このとき、ハッシュタグは広告の属性に応じて複数個が付加されることもある。
【００３０】
また、加入者にも、予め自分が興味を持つべきキーワードを入力するようにすることができる。
【００３１】
上述した過程を経て広告に付加されたハッシュタグと、加入者が既に入力したキーワードとを比較して、加入者が入力したキーワードと同一または類似のハッシュタグが付加された広告が優先的に表示されるように実現することができる。
【００３２】
例えば、任意の広告主が自分の広告に「ａ」及び「ｂ」というハッシュタグを付加した場合には、複数の加入者のうち、自分が興味を持っているキーワードとして「ａ」または「ｂ」を入力しておいた加入者に該当広告を優先的に露出させることができる。
【００３３】
本発明の一実施形態によれば、ユーザーが既に登録したキーワードと同一のハッシュタグが付加された広告を表示するときに、図３に示すように、その広告の背景色や枠線が任意の色で彩色された形態で表示することができる。すなわち、ユーザーが関心を持つべき広告がさらによく目立つように表示することができる。
したがって、加入者の好みを考慮して広告効果を極大化させることができるという効果を達成することができる。
【００３４】
このとき、図３乃至図５に示すように、前記広告表示領域４００内に表示される広告の数は、前記地域選択メニュー３００を介して選択される地域が上位地域に昇るほど少なくなり、前記選択される地域が下位地域に降りるほど多くなるが、各地域の広告の数は限定できる。
【００３５】
一例として、図３における韓国地域には、３つの広告が広告表示領域４００内に表示されているが、図４に示すように、地域選択メニュー３００内で城南地域項目が選択され、前記韓国地域から城南地域へ地域区が下位地域に降りると、広告表示領域４００内に前記選択された城南地域に関連した広告が検索されて表示されるが、韓国地域よりも多い５つの広告が表示されることを示している。
【００３６】
また、図５に示すように、地域選択メニュー３００内で盆唐地域項目が選択されて前記城南地域から盆唐地域へ地域区が下位地域に降りると、広告表示領域４００内に前記選択された盆唐地域に関連した広告が検索されて表示されるが、城南地域よりも多い８つの広告が表示されることを示している。
【００３７】
もちろん、図３乃至図５とは異なり、上位地域に昇るほど広告の数が多くなり、下位地域に降りるほど広告の数が少なくなるように設定することも可能であり、上位地域と下位地域の広告の数を同一に設定することも可能である。
【００３８】
本発明の一実施形態によれば、上位地域と下位地域の広告表示領域４００に表示される広告の数を決定するために、各地域に営む人口数を活用することができる。
このため、本発明の一実施形態に係るオンライン広告提供方法は、地域別人口数データベースを利用して、人口数に対応する広告の数が表示されるように実現することができる。
【００３９】
例えば、人口数が５０万人以下である地域の広告表示領域４００には８つの広告が表示されるようにし、人口数が５０万人超過１００万人以下である地域の広告表示領域４００には５つの広告が表示されるように広告の数を決定することができる。
【００４０】
上述したように、各人口に居住する人口数を活用して、広告表示領域４００に表示される広告の数が自動的に決定されるようにすると、管理者が、各地域別の広告表示領域４００に表示される広告の数をいちいち決定しなければならない煩わしさなしに自動的に広告の数が決定されるようにすることができる。
【００４１】
また、前記広告表示領域４００内に表示される広告の掲載維持時間は、前記地域選択メニュー３００を介して選択される地域が下位地域へ降りるほど、その維持時間が益々短くなることができる。
【００４２】
一例として、図３における韓国地域では、韓国地域関連広告が２時間掲載された後、他の広告で交換されるが、図４のように、前記韓国地域が下位地域である城南地域へ降りると、前記城南関連広告は前記韓国地域関連広告よりも短い１時間掲載されるのである。
【００４３】
また、前記広告表示領域４００内に表示される広告は、広告ウェブサイト２００内の加入者によって視聴回数または呼応度が基準値以上高くなると、当該掲載された地域よりも漸次上位地域に移動して掲載できる。
【００４４】
一例として、図５における盆唐地域関連広告のうち、特定の広告の視聴回数または呼応度が第１基準値以上高くなると、前記特定の広告は、城南地域関連広告へ移動して掲載され、前記城南地域関連広告へ移動した特定の広告の視聴回数または呼応度が第２基準値（第２基準値＞第１基準値）以上高くなると、前記特定の広告は韓国地域関連広告へ移動して掲載できるだろう。
【００４５】
また、前記広告表示領域４００内に表示される広告は、前記地域選択メニュー３００を介して選択される地域が下位地域へ降りるほど漸次広告内容が要約されて表示できる。
【００４６】
一例として、図３における韓国地域には、韓国地域関連広告が広報関連イメージ、テキストなどを含めて表示されるが、図４に示すように、前記韓国地域が下位地域たる城南地域へ降りると、前記城南関連広告は前記韓国地域関連広告よりも漸次小さいサイズに一部の広告内容のみが表示され、図５に示すように、前記城南地域が下位地域たる盆唐地域へ降りると、前記盆唐関連広告は、前記城南地域関連広告よりも漸次小さいサイズに一部のテキストのみが要約されて表示されるのである。
【００４７】
一方、図３乃至図５において広告表示領域４００内に表示される広告は、前記掲示板領域５００内から第１掲示板５１０が選択されて活性化されたときに表示されるポイント支給可能な広告である。すなわち、前記掲示板領域５００から第１掲示板５１０が選択されて活性化されると、広告表示領域４００内には、ポイント支給が可能な広告が検索されて表示される。
【００４８】
つまり、第１掲示板５１０は、ユーザー端末２０が前記広告表示領域４００内に表示された他の加入者の広告を選択（または視聴）するときに、ユーザー端末２０へポイントを支給する広告が掲載される掲示板である。
【００４９】
また、ユーザー端末２０は、第１掲示板５１０内で前記支給されたポイントを活用して前記第１掲示板５１０内に無料広告を掲載することができる。
【００５０】
このとき、ユーザー端末２０に支給されたポイントを利用して、ユーザー端末２０のユーザー（広告提供者３０及び広告視聴者４０のいずれか）は、第１掲示板５１０内の広告表示領域４００に広告を掲載するための地域、掲載時間及び前記広告表示領域４００における位置をオークションで購入可能である。
【００５１】
また、第１掲示板５１０に表示される広告のうち、上位地域に関連した広告によって支給されるポイントが、下位地域に関連した広告によって支給されるポイントよりもさらに大きくすることができる。一例として、城南地域に掲載された広告によって支給されるポイントが、盆唐地域に掲載された広告によって支給されるポイントよりもさらに大きくすることができる。
【００５２】
また、ユーザー端末２０のユーザーは、所望の広告を掲載しようとするが、本人の積み立てられたポイントが足りない場合には、広告ウェブサイト２００を介して現金でポイントを購入するか、或いは他のユーザーからポイントをもらってオークションで前記広告を掲載するための地域、掲載時間及び前記広告表示領域４００における位置を購入することができる。
【００５３】
すなわち、第１掲示板５１０、ウェブサイトまたはアプリケーション形態のグローバル広告（またはアンケート）機能及び商取引機能を持つＳＮＳプラットフォームであって、ユーザー（広告提供者３０または広告視聴者４０）が世界中のどこでも所望の地域と所望の時間帯に保障された時間の間、無料または有料で、広告またはアンケートを掲載することができる掲示板の機能を提供し、世界中のどこでも所望の地域の顧客を相手に商品の販売及び所望の地域の商品購入を行うことができる市場の機能を提供するプラットフォームである。
【００５４】
その次に、図６における掲示板領域５００内から選択されて活性化された第２掲示板５２０は、「Ｐｏｗｅｒ  Ｂｏａｒｄ」であって、広告表示領域４００内の広告を選択または視聴するときに現金の積み立てが可能な広告を表示する掲示板である。
【００５５】
つまり、第２掲示板５２０は、ユーザー端末２０が、広告提供者３０が掲載した広告に対するミッション（広告視聴、アンケートへの参加、及びアプリケーションのインストールのうちの少なくとも一つの行為）を完成すれば、広告提供者３０が提供する現金を積み立てられる掲示板である。このとき、ユーザー端末２０は、前記積み立てられた現金の支払いを後述のマーケットボードである第５掲示板５５０で受けるか、前記積み立てられた現金で第５掲示板５５０に広告される商品を購入するか、或いは他のサイバーマネーのポイントに両替することができる。
【００５６】
その次に、図７における掲示板領域５００内から選択されて活性化された第３掲示板５３０は、「Ｍｙ  Ｂｏａｒｄ」であって、ユーザー端末２０の個人情報、ユーザー端末２０によって掲載された広告／アンケート、及びユーザー端末２０によってスクラップされた他の加入者の広告／アンケート、ユーザー端末２０によって積み立てられた現金／ポイントなどを管理するための掲示板である。
【００５７】
一例として、図７では、第３掲示板５３０内にユーザー端末２０のユーザー個人情報と、ユーザー端末２０が広告ウェブサイト２００からスクラップした広告の数と、ユーザー端末２０が広告ウェブサイト２００からスクラップしたアンケートの数と、ユーザー端末２０によって積み立てられた現金及びポイントなどを表示したことを示している。
【００５８】
別の例として、ユーザーが既に入力したキーワードと同一または類似のハッシュタグが付加された広告が第３掲示板５３０に表示されるようにすることもできる。すなわち、ユーザーが関心を持つべき広告が自動的に収集されて提供されるので、広告効果を極大化させることができる。
【００５９】
ユーザーが既に登録したキーワードと同一または類似のハッシュタグが付加された広告を第３掲示板５３０に表示するとき、広告に任意の識別子が付加されるようにすることができる。
【００６０】
ここで、識別子とは、ユーザーが既に登録したキーワードに対応する広告であることを表示するためのもので、広告の一部の領域に付加されるものであり得る。または、広告の背景色や枠線の色を一般な広告とは異なるように表示する形態で識別子を付加することができる。
【００６１】
このとき、識別子は、広告に付加されたハッシュタグと、ユーザーが既に登録したキーワードとの類似度が高ければ高いほど、濃い色で表示されるか或いは識別子の大きさが大きくなる形態で付加することができる。
【００６２】
その次に、図８における掲示板領域５００内から選択されて活性化された第４掲示板５４０は、「Ｆｒｉｅｎｄｓ  Ｂｏａｒｄ」であって、第４掲示板５４０内には、ユーザー端末２０が友達として登録した他の加入者の情報（他の加入者の個人情報及び挨拶言葉のうちの少なくとも一つを含む）が表示され、友達が広告ウェブサイト２００に登録した広告が最近の時間帯に整列されて表示でき、ユーザー端末２０によって特定の他の加入者情報が選択されると、前記友達の「Ｍｙ  Ｂｏａｒｄ」へ移動し、前記友達が掲載する広告を見ることができる。
【００６３】
第４掲示板５４０においても、第３掲示板５３０と同様に、ユーザーが既に登録したキーワードにマッチングされるハッシュタグが付加された広告が表示されるようにすることができる。たとえば、友達として登録した他の加入者が登録したキーワードにマッチングされるハッシュタグが付加された広告が表示されるようにすることができる。よって、友達として登録された他の加入者が興味を持つべき広告を一緒に確認することができる。
【００６４】
このとき、第４掲示板５４０に表示される広告も、第３掲示板５３０に表示されるのと同様に、任意の識別子が付加された状態でユーザーに提供できる。
【００６５】
一方、本発明の一実施形態に係るオンライン広告提供方法は、図８に示すように、友達として登録された他の加入者にメッセージを伝送することができる機能を提供することもできる。
【００６６】
本発明の一実施形態によれば、友達として登録された他の加入者にメッセージを伝送するとき、伝送される一部の領域に他の加入者が興味を持つべき広告が表示されるようにすることができる。
【００６７】
たとえば、友達Ａにメッセージを伝送するとき、メッセージと一緒に友達Ａが既に登録したキーワードにマッチングされるハッシュタグが付加された広告を一緒に伝送することができる。このとき、広告はメッセージの一部の領域に含まれるように伝送することができる。
【００６８】
したがって、ユーザーが地域広告掲示板に接続しなくても、自分が興味を持つべき広告を自動的に提供することができるという効果を達成することができる。
【００６９】
最後に、図９における掲示板領域５００内から選択されて活性化された第５掲示板５５０は、「Ｍａｒｋｅｔ  Ｂｏａｒｄ」であって、広告ウェブサイト２００を介して積み立てられた現金／ポイントで購入可能な商品の広告が表示され、ユーザー端末２０は、本人に積み立てられた現金／ポイントで前記商品を購入することができる。また、ユーザー端末２０は、積み立てられた現金を第５掲示板５５０内で支払申請して支払いを受けるか、或いは他のサイバーマネーのポイントに両替することができる。
【００７０】
以上、本発明は、特定の実施形態に関連して図示及び説明したが、添付された特許請求の範囲によって示された発明の思想及び領域から外れない限度内において様々な改造及び変更を加え得るのを、当該分野における通常の知識を有する者であれば誰でも容易に分かることができるだろう。
【図１】
2020038694.tif 000003
【図２】
2020038694.tif 000004
【図３】
2020038694.tif 000005
【図４】
2020038694.tif 000006
【図５】
2020038694.tif 000007
【図６】
2020038694.tif 000008
【図７】
2020038694.tif 000009
【図８】
2020038694.tif 000010
【図９】
2020038694.tif 000011